【手続補正書】
【提出日】平成17年8月11日(2005.8.11)
【手続補正１】
【補正対象書類名】明細書
【補正対象項目名】発明の名称
【補正方法】変更
【補正の内容】
【発明の名称】無線電話システム、無線電話システムにおける通信方法、および無線電話器と通話するベース・ユニット
【手続補正２】
【補正対象書類名】明細書
【補正対象項目名】特許請求の範囲
【補正方法】変更
【補正の内容】
【特許請求の範囲】
【請求項１】  無線電話システムであって、
（ａ）ベース・トランシーバを備えるベース・ユニットと、
（ｂ）各電話器がトランシーバを備える、複数の無線電話器と、から成り、
各電話器に独占的データとオーディオ・パケット・タイム・スロットを割り当てるＴＤＭＡエポックに従って、時分割多重アクセス（ＴＤＭＡ）データ・リンクおよびＴＤＭＡオーディオ・リンクをベース・トランシーバを介して、ベース・ユニットと設定し、
前記データ・リンクは、シグナル情報を伝送し、
前記オーディオ・リンクは、リアルタイムでの電話の呼出しのために音声データを伝送し、
前記ベース・ユニットは、データ源からのデータを求める電話器からのリクエストの有り次第、リクエストされたデータをデータ源から検索して、検索されたデータをオーディオ・リンクを介して、電話器に伝送し、
前記エポックは、送信・受信データ行のペアを複数個、各電話器につきこのような行ペアを１個づつ備え、
前記各行ペアは、各電話器について送信データ・タイム・スロットおよび一度に通話する複数の電話器の最大数の半数について複数の送信・受信オーディオ・パケット・タイム・スロットを備える偶数行と、各電話器について受信データ・タイム・スロットおよび一度に通話する複数の電話器の最大数の他の半数について複数の送信・受信オーディオ・パケット・タイム・スロットを備える奇数行とから成り、
前記各電話器は、前記各電話器についての送信・受信データ行ペアの期間に、各エポックの間に一度だけ受信・送信データ・パケット・スロットを介して、データ・パケットを受信し、且つ送信し、そして、電話器がベース・ユニットと通信しているならば、前記各電話器は、前記エポックの各行ペアのそれぞれの送信・受信オーディオ・パケット・タイム・スロットの期間にオーディオ・パケットを受信し、且つ送信する、前記無線電話システム。
【請求項２】  前記複数の電話器が、１２台の電話器から成り、そのうち一度に８台が通話し、
前記エポックが、データ行のペアを１２個、各電話器につきデータ行ペアを１個づつ備え、
前記各行ペアが、通話中の電話器のオーディオ通信のために送信・受信オーディオ・パケット・タイム・スロットのペアを８個備える、請求項１記載の無線電話システム。
【請求項３】  前記データ源が、データを記憶するためのメモリであり、前記リクエストされたデータが、メモリ内に記憶されたデータである、請求項１記載の無線電話システム。
【請求項４】  前記ベース・ユニットが、メモリを備える、請求項３記載の無線電話システム。
【請求項５】  前記ベース・ユニットが、メモリを備える外部コンピュータに結合される、請求項３記載の無線電話システム。
【請求項６】  前記電話器が、リアルタイムの電話会議の音声データを伝送するためにオーディオ・リンクを使用していなければ、前記ベース・ユニットは、記憶された情報をオーディオ・リンクを介して、電話器に伝送し、前記電話器がリアルタイムの電話会議の音声データを伝送するためにオーディオ・リンクを使用しているならば、記憶された情報をデータ・リンクを介して、電話器に伝送する、請求項３記載の無線電話システム。
【請求項７】  前記記憶されたデータが、電話のかけ手のＩＤ情報および圧縮された音声メール・メッセージ・データの何れかである、請求項３記載の無線電話システム。
【請求項８】  前記記憶された情報をリクエストしている電話器が、記憶された情報を、受信次第、記憶された情報の性質に従って処理する、請求項７記載の無線電話システム。
【請求項９】  ベース・トランシーバを備えるベース・ユニットと、各電話器がトランシーバを備える複数の無線電話器と、から成る無線電話システムにおいて、
（ａ）前記各電話器のトランシーバを使用して、ベース・トランシーバを介して、ベース・ユニットと時分割多重アクセス（ＴＤＭＡ）データ・リンクを設定し、且つベース・ユニットと通話中の各電話器を使用して、各電話器に独占的データとオーディオ・パケット・タイム・スロットを割り当てるＴＤＭＡエポックに従って、ベース・トランシーバを介して、ベース・ユニットとＴＤＭＡオーディオ・リンクを設定するステップであって、前記データ・リンクはシグナル情報を送信し、前記オーディオ・リンクはリアルタイムでの電話の呼出しのために音声データを送信するためのものである、前記設定するステップと、
（ｂ）前記電話器を使用して、データ源からのデータを、ベース・ユニットからリクエストするステップと、
（ｃ）前記ベース・ユニットを使用して、リクエストされたデータを、リクエストに応じて、データ源から検索するステップと、
（ｄ）前記検索されたデータを、ベース・ユニットからオーディオ・リンクを介して、電話器に伝送するステップと、から成る方法であって、
エポックは、送信・受信データ行のペアを複数個、各電話器につきこのような行ペアを１個づつ備えており、
前記各行ペアは、各電話器について送信データ・タイム・スロットおよび一度に通話する複数の電話器の最大数の半数について複数の送信・受信オーディオ・パケット・タイム・スロットを備える偶数行、および各電話器について受信データ・タイム・スロットおよび一度に通話する複数の電話器の最大数の他の半数について複数の送信・受信オーディオ・パケット・タイム・スロットを備える奇数行から成り、
前記各電話器は、各電話器の送信・受信データ行ペアの期間に、各エポックの間に一度だけ、受信・送信データ・パケット・スロットを介して、データ・パケットを受信し、且つ送信し、電話器がベース・ユニットと通話しているならば、各電話器は、前記エポックの各行ペアのそれぞれの送信・受信オーディオ・パケット・タイム・スロットの期間にオーディオ・パケットを受信し、且つ送信する、前記無線電話システムにおける通信方法。
【請求項１０】  前記データ源が、データを記憶するメモリであり、リクエストされたデータが、前記メモリ内に記憶されるデータである、請求項９記載の無線電話システムにおける通信方法。
【請求項１１】  各電話器が、トランシーバを備える、複数の無線電話器と通話するベース・ユニットが、
（ａ）ベース・トランシーバを介して、各電話器と時分割多重アクセス（ＴＤＭＡ）データ・リンクを設定し、且つ独占的データおよびオーディオ・パケット・タイム・スロットを各電話器に割り当てるＴＤＭＡエポックに従って、ベース・トランシーバを介して、ＴＤＭＡオーディオ・リンクを、ベース・ユニットと通話中の各電話器と設定するベース・トランシーバであって、前記データ・リンクはシグナル情報を送信し、前記オーディオ・リンクは電話の呼出しのために音声データを送信するためのものである、前記ベース・トランシーバと、
（ｂ）記憶された情報を記憶するメモリであって、ベース・ユニットは、メモリ内に記憶された情報を求める電話器からのリクエストの有り次第、リクエストされた情報をメモリから検索し、前記情報をオーディオ・リンクを介して、電話器に伝送する、前記メモリと、
から成り、
前記エポックは、送信・受信データ行のペアを複数個、各電話器につきそのような行ペアを１個づつ備えており、
前記各行ペアは、各電話器について送信データ・タイム・スロット、および１度に通話する複数の電話器の最大値の半数について複数の送信・受信オーディオ・パケット・タイム・スロットを備える偶数行、および各電話器について１つの受信データ・タイム・スロットおよび１度に通話する複数の電話器の最大数の他の半分について複数の送信・受信オーディオ・パケット・タイム・スロットを備える奇数行から成り、
前記各電話器は、前記各電話器についての送信・受信データ行ペアの期間に、各エポックの間に一度だけ、受信・送信データ・パケット・スロットを介して、データ・パケットを受信し、且つ送信し、電話器がベース・ユニットと通話中であるならば、エポックの各行ペアのそれぞれの送信・受信オーディオ・パケット・タイム・スロットの期間に前記各電話器はオーディオ・パケットを受信し、且つ送信する、前記無線電話器と通話するベース・ユニット。
【請求項１２】  前記データ源が、データを記憶するメモリであり、リクエストされたデータが、メモリ内に記憶されるデータである、請求項１１記載の無線電話器と通話するベース・ユニット。
【請求項１３】  無線電話システムであって、
（ａ）ベース・トランシーバを備えるベース・ユニットと、
（ｂ）各電話器が、トランシーバを備え、ベース・トランシーバを介して、データ・リンクおよびオーディオ・リンクをベース・ユニットと設定する複数の無線電話器とから成り、
前記データ・リンクは、シグナル情報を送信し、前記オーディオ・リンクはリアルタイムでの電話の呼出しのために音声データを送信し、データ源からの非音声データを求める電話器からのリクエストの有り次第、ベース・ユニットはリクエストされたデータをデータ源から検索して、電話器がリアルタイムの電話会議の音声データを送信するためにオーディオ・リンクを使用していなければ、検索されたデータをオーディオ・リンクを介して、電話器に伝送し、そうでなければ、記憶された情報をデータ・リンクを介して、電話器に伝送する、前記無線電話システム。
【手続補正３】
【補正対象書類名】明細書
【補正対象項目名】０００４
【補正方法】変更
【補正の内容】
【０００４】
発明の概要
無線電話システムは、ベース・ユニットと複数の無線電話器から成る。ベース・ユニットは、ベース・トランシーバおよび情報を記憶するメモリを備える。各電話器は、トランシーバを備え、ベース・トランシーバを介して、共有無線（ＲＦ）チャンネル（ｓｈａｒｅｄ  ＲＦ  ｃｈａｎｎｅｌ）におけるデータ・リンクおよびオーディオ・リンクをベース・ユニットと設定する。データ・リンクは、シグナル情報を送信し、オーディオ・リンクは、電話による会議をリアルタイム（実時間）でするために音声データを送信するためのものである。電話器は、或る記憶された情報をベース・ユニットからリクエストする。それに応じて、ベース・ユニットは、記憶されているリクエストされた情報をメモリから取り出し、前記情報をオーディオ・リンクを介して、電話器に送信する。
請求の範囲と実施例との対応関係を図面で使われている参照符号で示すと次の通りである。
（請求項１）  無線電話システム（１００）であって、
（ａ）ベース・トランシーバ（１１１、１１２）を備えるベース・ユニット（１１０）と、
（ｂ）各電話器（１２０ｉ）がトランシーバ（１２１、１２２）を備える、複数の無線電話器（１２０）と、から成り、
各電話器（１２０ｉ）に独占的データとオーディオ・パケット・タイム・スロットを割り当てるＴＤＭＡエポック（２００）に従って、時分割多重アクセス（ＴＤＭＡ）データ・リンクおよびＴＤＭＡオーディオ・リンクをベース・トランシーバを介して、ベース・ユニット（１１０）と設定し、
前記データ・リンクは、シグナル情報を伝送し、
前記オーディオ・リンクは、リアルタイムでの電話の呼出しのために音声データを伝送し、
前記ベース・ユニット（１１０）は、データ源からのデータを求める電話器（１２０ｉ）からのリクエストの有り次第、リクエストされたデータをデータ源から検索して、検索されたデータをオーディオ・リンクを介して、電話器（１２０ｉ）に伝送し、
前記エポック（２００）は、送信・受信データ行のペアを複数個、各電話器（１２０ｉ）につきこのような行ペアを１個づつ備え、
前記各行ペアは、各電話器について送信データ・タイム・スロットおよび一度に通話する複数の電話器の最大数の半数について複数の送信・受信オーディオ・パケット・タイム・スロットを備える偶数行と、各電話器について受信データ・タイム・スロットおよび一度に通話する複数の電話器の最大数の他の半数について複数の送信・受信オーディオ・パケット・タイム・スロットを備える奇数行とから成り、
前記各電話器（１２０ｉ）は、前記各電話器についての送信・受信データ行ペアの期間に、各エポック（２００）の間に一度だけ受信・送信データ・パケット・スロット（２５１、２５２）を介して、データ・パケットを受信し、且つ送信し、そして、電話器がベース・ユニットと通信しているならば、前記各電話器は、前記エポックの各行ペアのそれぞれの送信・受信オーディオ・パケット・タイム・スロット（２５３、２５４）の期間にオーディオ・パケットを受信し、且つ送信する、前記無線電話システム（１００）。
（請求項２）  前記複数の電話器（１２０）が、１２台の電話器から成り、そのうち一度に８台が通話し、
前記エポック（２００）が、データ行のペアを１２個、各電話器につきデータ行ペアを１個づつ備え、
前記各行ペアが、通話中の電話器のオーディオ通信のために送信・受信オーディオ・パケット・タイム・スロットのペアを８個備える、請求項１記載の無線電話システム。
（請求項３）  前記データ源が、データを記憶するためのメモリ（１１８）であり、前記リクエストされたデータが、メモリ内に記憶されたデータである、請求項１記載の無線電話システム。
（請求項４）  前記ベース・ユニット（１１０）が、メモリ（１１８）を備える、請求項３記載の無線電話システム。
（請求項５）  前記ベース・ユニット（１１０）が、メモリ（１１８）を備える外部コンピュータに結合される、請求項３記載の無線電話システム。
（請求項６）  前記電話器が、リアルタイムの電話会議の音声データを伝送するためにオーディオ・リンクを使用していなければ、前記ベース・ユニット（１１０）は、記憶された情報をオーディオ・リンクを介して、電話器（１２０ｉ）に伝送し、前記電話器がリアルタイムの電話会議の音声データを伝送するためにオーディオ・リンクを使用しているならば、記憶された情報をデータ・リンクを介して、電話器に伝送する、請求項３記載の無線電話システム。
（請求項７）  前記記憶されたデータが、電話のかけ手のＩＤ情報および圧縮された音声メール・メッセージ・データの何れかである、請求項３記載の無線電話システム。
（請求項８）  前記記憶された情報をリクエストしている電話器が、記憶された情報を、受信次第、記憶された情報の性質に従って処理する、請求項７記載の無線電話システム。
（請求項９）  ベース・トランシーバ（１１１、１１２）を備えるベース・ユニット（１１０）と、各電話器（１２０ｉ）がトランシーバ（１２１、１２２）を備える複数の無線電話器（１２０）と、から成る無線電話システムにおいて、
（ａ）前記各電話器のトランシーバを使用して、ベース・トランシーバを介して、ベース・ユニットと時分割多重アクセス（ＴＤＭＡ）データ・リンクを設定し、且つベース・ユニットと通話中の各電話器を使用して、各電話器（１２０ｉ）に独占的データとオーディオ・パケット・タイム・スロットを割り当てるＴＤＭＡエポック（２００）に従って、ベース・トランシーバを介して、ベース・ユニットとＴＤＭＡオーディオ・リンクを設定するステップであって、前記データ・リンクはシグナル情報を送信し、前記オーディオ・リンクはリアルタイムでの電話の呼出しのために音声データを送信するためのものである、前記設定するステップと、
（ｂ）前記電話器を使用して、データ源からのデータを、ベース・ユニットからリクエストするステップと、
（ｃ）前記ベース・ユニットを使用して、リクエストされたデータを、リクエストに応じて、データ源から検索するステップと、
（ｄ）前記検索されたデータを、ベース・ユニットからオーディオ・リンクを介して、電話器に伝送するステップと、から成る方法であって、
エポック（２００）は、送信・受信データ行のペアを複数個、各電話器（１２０ｉ）につきこのような行ペアを１個づつ備えており、
前記各行ペアは、各電話器について送信データ・タイム・スロットおよび一度に通話する複数の電話器の最大数の半数について複数の送信・受信オーディオ・パケット・タイム・スロットを備える偶数行、および各電話器について受信データ・タイム・スロットおよび一度に通話する複数の電話器の最大数の他の半数について複数の送信・受信オーディオ・パケット・タイム・スロットを備える奇数行から成り、
前記各電話器（１２０ｉ）は、各電話器の送信・受信データ行ペアの期間に、各エポック（２００）の間に一度だけ、受信・送信データ・パケット・スロット（２５１、２５２）を介して、データ・パケットを受信し、且つ送信し、電話器がベース・ユニットと通話しているならば、各電話器は、前記エポックの各行ペアのそれぞれの送信・受信オーディオ・パケット・タイム・スロット（２５３、２５４）の期間にオーディオ・パケットを受信し、且つ送信する、前記無線電話システムにおける通信方法。
（請求項１０）  前記データ源が、データを記憶するメモリであり、リクエストされたデータが、前記メモリ内に記憶されるデータである、請求項９記載の無線電話システムにおける通信方法。
（請求項１１）  各電話器（１２０ｉ）が、トランシーバ（１２１、１２２）を備える、複数の無線電話器（１２０）と通話するベース・ユニット（１１０）が、
（ａ）ベース・トランシーバを介して、各電話器と時分割多重アクセス（ＴＤＭＡ）データ・リンクを設定し、且つ独占的データおよびオーディオ・パケット・タイム・スロットを各電話器（１２０ｉ）に割り当てるＴＤＭＡエポック（２００）に従って、ベース・トランシーバを介して、ＴＤＭＡオーディオ・リンクを、ベース・ユニットと通話中の各電話器と設定するベース・トランシーバ（１１１、１１２）であって、前記データ・リンクはシグナル情報を送信し、前記オーディオ・リンクは電話の呼出しのために音声データを送信するためのものである、前記ベース・トランシーバ（１１１、１１２）と、
（ｂ）記憶された情報を記憶するメモリ（１１８）であって、ベース・ユニットは、メモリ内に記憶された情報を求める電話器からのリクエストの有り次第、リクエストされた情報をメモリから検索し、前記情報をオーディオ・リンクを介して、電話器に伝送する、前記メモリ（１１８）と、
から成り、
前記エポック（２００）は、送信・受信データ行のペアを複数個、各電話器（１２０ｉ）につきそのような行ペアを１個づつ備えており、
前記各行ペアは、各電話器について送信データ・タイム・スロット、および１度に通話する複数の電話器の最大値の半数について複数の送信・受信オーディオ・パケット・タイム・スロットを備える偶数行、および各電話器について１つの受信データ・タイム・スロットおよび１度に通話する複数の電話器の最大数の他の半分について複数の送信・受信オーディオ・パケット・タイム・スロットを備える奇数行から成り、
前記各電話器（１２０ｉ）は、前記各電話器についての送信・受信データ行ペアの期間に、各エポック（２００）の間に一度だけ、受信・送信データ・パケット・スロット（２５１、２５２）を介して、データ・パケットを受信し、且つ送信し、電話器がベース・ユニットと通話中であるならば、エポックの各行ペアのそれぞれの送信・受信オーディオ・パケット・タイム・スロット（２５３、２５４）の期間に前記各電話器はオーディオ・パケットを受信し、且つ送信する、前記無線電話器と通話するベース・ユニット（１１０）。
（請求項１２）  前記データ源が、データを記憶するメモリであり、リクエストされたデータが、メモリ内に記憶されるデータである、請求項１１記載の無線電話器と通話するベース・ユニット。
（請求項１３）  無線電話システム（１００）であって、
（ａ）ベース・トランシーバ（１１１、１１２）を備えるベース・ユニット（１１０）と、
（ｂ）各電話器（１２０ｉ）が、トランシーバ（１２１、１２２）を備え、ベース・トランシーバを介して、データ・リンクおよびオーディオ・リンクをベース・ユニット（１１０）と設定する複数の無線電話器（１２０）とから成り、
前記データ・リンクは、シグナル情報を送信し、前記オーディオ・リンクはリアルタイムでの電話の呼出しのために音声データを送信し、データ源からの非音声データを求める電話器（１２０ｉ）からのリクエストの有り次第、ベース・ユニット（１１０）はリクエストされたデータをデータ源から検索して、電話器がリアルタイムの電話会議の音声データを送信するためにオーディオ・リンクを使用していなければ、検索されたデータをオーディオ・リンクを介して、電話器（１２０ｉ）に伝送し、そうでなければ、記憶された情報をデータ・リンクを介して、電話器に伝送する、前記無線電話システム（１００）。